【手続補正書】
【提出日】平成16年9月29日(2004.9.29)
【手続補正１】
【補正対象書類名】明細書
【補正対象項目名】発明の名称
【補正方法】変更
【補正の内容】
【発明の名称】製本システム
【手続補正２】
【補正対象書類名】明細書
【補正対象項目名】特許請求の範囲
【補正方法】変更
【補正の内容】
【特許請求の範囲】
【請求項１】
書籍本文データと書誌事項データとに分割された書籍データを複数の書籍分記憶した記憶部を有するデータサーバ、
端末、
用紙に画像を形成し、書籍を作製する印刷・製本装置及び、
前記端末からの要求に基づいて、前記データサーバから要求に係る前記書籍データを入手し、前記印刷・製本装置に入手した前記書籍データを伝送する管理サーバ、
を有し、前記データサーバに記憶されている前記書籍データに基づいて前記印刷・製本装置において書籍を作製することを特徴とする製本システム。
【請求項２】
前記書籍本文データと前記書誌事項データとは互いに関連づけられて前記データサーバに記憶されていることを特徴とする請求項１に記載の製本システム。
【請求項３】
前記記憶部は、前記書籍本文データと前記書誌事項データとを、個々に又は連続して読み出し可能に連続的に前記データサーバに記憶していることを特徴とする請求項１又は請求項２に記載の製本システム。
【請求項４】
前記書誌事項データは、内部書誌事項データと表紙データとからなることを特徴とする請求項１〜３のいずれか１項に記載の製本システム。
【請求項５】
前記表紙データには、背表紙データが含まれることを特徴とする請求項４に記載の製本システム。
【請求項６】
前記書誌事項データは、価格情報を含むことを特徴とする請求項１〜５のいずれか１項に記載の製本システム。
【請求項７】
前記端末は、前記内部書誌事項データを構成する項目の複数を内容とするインデックスデータを記憶していることを特徴とする請求項１〜６のいずれか１項に記載の製本システム。
【請求項８】
前記管理サーバは、前記内部書誌事項データを構成する項目の複数を内容とするインデックスデータを記憶していることを特徴とする請求項１〜７のいずれか１項に記載の製本システム。
【請求項９】
書籍本文データと価格情報を含む書誌事項データとに分割され、前記書籍本文データに前記書誌事項データを対応づけて構成した書籍データを複数の書籍分記憶した記憶部を有するデータサーバ、
端末、
用紙に画像を形成し、書籍を作製する印刷・製本装置及び、
前記端末からの要求に基づいて、前記データサーバからの要求に係る前記書籍データを入手し、前記印刷・製本装置に入手した前記書籍データを伝送する管理サーバ、
を有し、前記データサーバに記憶されている前記書籍データに基づいて前記印刷・製本装置において書籍を作製するとともに、前記価格情報のプリントアウトを行うことを特徴とする製本システム。
【請求項１０】
前記管理サーバは、前記書誌事項データを構成する項目の複数を内容とするインデックスデータを記憶し、該インデックスデータに前記価格情報が含まれるていることを特徴とする請求項９に記載の製本システム。
【請求項１１】
前記端末は、前記書誌事項データを構成する項目の複数を内容とするインデックスデータを記憶し、該インデックスデータに前記価格情報が含まれるていることを特徴とする請求項９又は請求項１０に記載の製本システム。
【請求項１２】
前記書籍本文データと前記書誌事項データとは互いに関連づけられて前記記憶部に記憶されていることを特徴とする請求項９〜１１のいずれか１項に記載の製本システム。
【請求項１３】
前記書籍本文データと前記書誌事項データとは、個々に又は連続して読み出し可能に前記記憶部に記憶されていることを特徴とする請求項９〜１２のいずれか１項に記載の製本システム。
【請求項１４】
前記書誌事項データは、内部書誌事項データと表紙データとからなることを特徴とする請求項９〜１３のいずれか１項に記載の製本システム。
【請求項１５】
前記表紙データには、背表紙データが含まれることを特徴とする請求項１４に記載の製本システム。
【請求項１６】
前記プリントアウトは、バーコードの印刷を含むことを特徴とする請求項９〜１５のいずれか１項に記載の製本システム。
【請求項１７】
前記プリントアウトは、文字キャラクタの印刷を含むことを特徴とする請求項９〜１６のいずれか１項に記載の製本システム。
【請求項１８】
前記プリントアウトは前記書籍の一部として印刷することからなることを特徴とする請求項９〜１７のいずれか１項に記載の製本システム。
【請求項１９】
前記プリントアウトは、前記書籍とは分離されたシートに前記価格情報を印刷することを含むことを特徴とする請求項９〜１８のいずれか１項に記載の製本システム。
【手続補正３】
【補正対象書類名】明細書
【補正対象項目名】０００１
【補正方法】変更
【補正の内容】
【０００１】
【発明の属する技術分野】
本発明は、端末側からネットワークを介してサーバよりデータを取り出し、端末側で製本出力する製本システムを構成するノードに関する。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
１．書籍本文データと書誌事項データとに分割された書籍データを複数の書籍分記憶した記憶部を有するデータサーバ、
端末、
用紙に画像を形成し、書籍を作製する印刷・製本装置及び、
前記端末からの要求に基づいて、前記データサーバから要求に係る前記書籍データを入手し、前記印刷・製本装置に入手した前記書籍データを伝送する管理サーバ、
を有し、前記データサーバに記憶されている前記書籍データに基づいて前記印刷・製本装置において書籍を作製することを特徴とする製本システム。
【手続補正１１】
【補正対象書類名】明細書
【補正対象項目名】００２２
【補正方法】変更
【補正の内容】
【００２２】
２．前記書籍本文データと前記書誌事項データとは互いに関連づけられて前記データサーバに記憶されていることを特徴とする前記１に記載の製本システム。
【手続補正１２】
【補正対象書類名】明細書
【補正対象項目名】００２３
【補正方法】変更
【補正の内容】
【００２３】
３．前記記憶部は、前記書籍本文データと前記書誌事項データとを、個々に又は連続して読み出し可能に連続的に前記データサーバに記憶していることを特徴とする前記１又は前記２に記載の製本システム。
【手続補正１３】
【補正対象書類名】明細書
【補正対象項目名】００２４
【補正方法】変更
【補正の内容】
【００２４】
４．前記書誌事項データは、内部書誌事項データと表紙データとからなることを特徴とする前記１〜３のいずれか１項に記載の製本システム。
【手続補正１４】
【補正対象書類名】明細書
【補正対象項目名】００２５
【補正方法】変更
【補正の内容】
【００２５】
５．前記表紙データには、背表紙データが含まれることを特徴とする前記４に記載の製本システム。
【手続補正１５】
【補正対象書類名】明細書
【補正対象項目名】００２６
【補正方法】変更
【補正の内容】
【００２６】
６．前記書誌事項データは、価格情報を含むことを特徴とする前記１〜５のいずれか１項に記載の製本システム。
【手続補正１６】
【補正対象書類名】明細書
【補正対象項目名】００２７
【補正方法】変更
【補正の内容】
【００２７】
７．前記端末は、前記内部書誌事項データを構成する項目の複数を内容とするインデックスデータを記憶していることを特徴とする前記１〜６のいずれか１項に記載の製本システム。
【手続補正１７】
【補正対象書類名】明細書
【補正対象項目名】００２８
【補正方法】変更
【補正の内容】
【００２８】
８．前記管理サーバは、前記内部書誌事項データを構成する項目の複数を内容とするインデックスデータを記憶していることを特徴とする前記１〜７のいずれか１項に記載の製本システム。
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】変更
【補正の内容】
【００４０】
９．書籍本文データと価格情報を含む書誌事項データとに分割され、前記書籍本文データに前記書誌事項データを対応づけて構成した書籍データを複数の書籍分記憶した記憶部を有するデータサーバ、
端末、
用紙に画像を形成し、書籍を作製する印刷・製本装置及び、
前記端末からの要求に基づいて、前記データサーバからの要求に係る前記書籍データを入手し、前記印刷・製本装置に入手した前記書籍データを伝送する管理サーバ、
を有し、前記データサーバに記憶されている前記書籍データに基づいて前記印刷・製本装置において書籍を作製するとともに、前記価格情報のプリントアウトを行うことを特徴とする製本システム。
【手続補正３０】
【補正対象書類名】明細書
【補正対象項目名】００４１
【補正方法】変更
【補正の内容】
【００４１】
１０．前記管理サーバは、前記書誌事項データを構成する項目の複数を内容とするインデックスデータを記憶し、該インデックスデータに前記価格情報が含まれていることを特徴とする前記９に記載の製本システム。
【手続補正３１】
【補正対象書類名】明細書
【補正対象項目名】００４２
【補正方法】変更
【補正の内容】
【００４２】
１１．前記端末は、前記書誌事項データを構成する項目の複数を内容とするインデックスデータを記憶し、該インデックスデータに前記価格情報が含まれていることを特徴とする前記９又は前記１０に記載の製本システム。
【手続補正３２】
【補正対象書類名】明細書
【補正対象項目名】００４３
【補正方法】変更
【補正の内容】
【００４３】
１２．前記書籍本文データと前記書誌事項データとは互いに関連づけられて前記記憶部に記憶されていることを特徴とする前記９〜１１のいずれか１項に記載の製本システム。
【手続補正３３】
【補正対象書類名】明細書
【補正対象項目名】００４４
【補正方法】変更
【補正の内容】
【００４４】
１３．前記書籍本文データと前記書誌事項データとは、個々に又は連続して読み出し可能に前記記憶部に記憶されていることを特徴とする前記９〜１２のいずれか１項に記載の製本システム。
【手続補正３４】
【補正対象書類名】明細書
【補正対象項目名】００４５
【補正方法】変更
【補正の内容】
【００４５】
１４．前記書誌事項データは、内部書誌事項データと表紙データとからなることを特徴とする前記９〜１３のいずれか１項に記載の製本システム。
【手続補正３５】
【補正対象書類名】明細書
【補正対象項目名】００４６
【補正方法】変更
【補正の内容】
【００４６】
１５．前記表紙データには、背表紙データが含まれることを特徴とする前記１４に記載の製本システム。
【手続補正３６】
【補正対象書類名】明細書
【補正対象項目名】００４７
【補正方法】変更
【補正の内容】
【００４７】
１６．前記プリントアウトは、バーコードの印刷を含むことを特徴とする前記９〜１５のいずれか１項に記載の製本システム。
【手続補正３７】
【補正対象書類名】明細書
【補正対象項目名】００４８
【補正方法】変更
【補正の内容】
【００４８】
１７．前記プリントアウトは、文字キャラクタの印刷を含むことを特徴とする前記９〜１６のいずれか１項に記載の製本システム。
【手続補正３８】
【補正対象書類名】明細書
【補正対象項目名】００４９
【補正方法】変更
【補正の内容】
【００４９】
１８．前記プリントアウトは前記書籍の一部として印刷することからなることを特徴とする前記９〜１７のいずれか１項に記載の製本システム。
【手続補正３９】
【補正対象書類名】明細書
【補正対象項目名】００５０
【補正方法】変更
【補正の内容】
【００５０】
１９．前記プリントアウトは、前記書籍とは分離されたシートに前記価格情報を印刷することを含むことを特徴とする前記９〜１８のいずれか１項に記載の製本システム。
【手続補正４０】
【補正対象書類名】明細書
【補正対象項目名】０１１５
【補正方法】変更
【補正の内容】
【０１１５】
【発明の効果】
請求項１、２、３、１２又は１３の発明により、書籍の作製に必要なデータである書籍データを書籍本文データと書誌事項データとに分割するとともに関連付けてデータサーバに記憶させているので、書籍本文データと書誌事項データとを別々に処理して書籍の検索や書籍形態の決定を行うとともに、書籍本文データと書誌事項データとを一体処理することにより印刷が実行され、書誌事項や表紙を種々変えた書籍を作製することが可能になる。従って、多様なニーズに対応できる新たな価値を持った書籍を提供することが可能になる。しかも、書籍の検索から製本までが短時間で遂行される。
【手続補正４１】
【補正対象書類名】明細書
【補正対象項目名】０１１６
【補正方法】変更
【補正の内容】
【０１１６】
請求項４、５、１４又は１５の発明により、書誌事項データが更に内部書誌事項データと表紙データとに分割されて記憶されているので、表紙の変更等の書籍の体裁の変更が容易になり、更に多様なニーズに対応した新たな価値の書籍を提供することが可能になる。
【手続補正４２】
【補正対象書類名】明細書
【補正対象項目名】０１１７
【補正方法】変更
【補正の内容】
【０１１７】
請求項６、又は９の発明により、書籍１冊１冊が異なる価格で販売される販売形態に対応した経理処理が可能になる。
【手続補正４３】
【補正対象書類名】明細書
【補正対象項目名】０１１８
【補正方法】変更
【補正の内容】
【０１１８】
請求項７、８、１０又は１１の発明により、書籍データの検索が容易になり、しかも、検索データを簡単に作成することが可能になる。
【手続補正４４】
【補正対象書類名】明細書
【補正対象項目名】０１１９
【補正方法】変更
【補正の内容】
【０１１９】
請求項１１の発明により、書籍の需要者は購入前に書籍の内容を遠隔から確認することが出来る。
【手続補正４５】
【補正対象書類名】明細書
【補正対象項目名】０１２０
【補正方法】変更
【補正の内容】
【０１２０】
書籍の多様化に伴って、同一の書籍内容を持ったものでも価格に違いが出る場合が発生する。前記９、１４〜１８のいずれかの発明により、多様化した価格の価格情報を需要者に正確に伝達することが可能になる。
【手続補正４６】
【補正対象書類名】明細書
【補正対象項目名】０１２１
【補正方法】変更
【補正の内容】
【０１２１】
請求項１９の発明により、価格表示シートを回収することにより、書店等における売り上げ管理が容易になる。